(57)【要約】 異常音が発生したときに確実に報知先に対して報知を行うことができる交換機を提供する。交換機（１０）は、複数の端末（２０１〜２１５、３０）と接続されており、複数の通話路（ＤＳＰ１２１〜１２８）と、各端末と通話路との接続を切り換えるためのデジタルスイッチ回路（１１）と、各ＤＳＰ及びスイッチ回路（１１）を制御するＣＰＵ（１３）とを備え、ＣＰＵ（１３）は、第１端末２０１に通話路を優先的に割り当てる制御を行い、割り当てられたＤＳＰは、スイッチ回路１１を介して入力される第１端末（２０１）からの音が異常音か否かを判断し、異常音と判断したときにＣＰＵ（１３）へ通知し、通知を受けたＣＰＵ（１３）は、当該通知に基づいて報知先を決定して当該報知先への報知処理を行う。
2010090249.tif 000002
【特許請求の範囲】
【請求項１】
外部の音を自動的に入出力する第１端末を含む複数の端末と接続された交換機において、
それぞれＤＳＰ（Digital Signal Processor）を備えた複数の通話路と、
前記各端末と前記各通話路との接続を切り換えるためのスイッチ回路と、
前記各ＤＳＰ及びスイッチ回路を制御する通話路制御部とを備え、
前記通話路制御部は、前記第１端末に前記複数の通話路のうちのいずれかを優先的に割り当てる制御を行い、
割り当てられた通話路のＤＳＰは、前記スイッチ回路を介して入力される前記第１端末からの音が異常音か否かを判断し、異常音と判断したときに前記通話制御部へ通知し、
通知を受けた前記通話路制御部は、当該通知に基づいて報知先を決定して当該報知先への報知処理を行うことを特徴とする交換機。
【請求項２】
前記複数の通話路の割り当て状況を管理する割当テーブルを格納するメモリをさらに含み、
前記通話路制御部は、前記メモリに格納された割当テーブルを参照して、前記第１端末に優先的に割り当てる通話路を動的に切り替える、
請求項１に記載の交換機。
【請求項３】
前記通話路制御部は、複数の異なる報知方法の中から選択された方法で前記報知先への報知処理を行う、
請求項１または２に記載の交換機。
【請求項４】
前記通話路制御部は、前記報知処理として、前記異常音が入力された第１端末が設置されているエリアを撮影している監視カメラからの映像情報を表示装置に表示するための処理を行う、
請求項１ないし３のいずれか１項に記載の交換機。
【発明の詳細な説明】
【技術分野】
【０００１】
本発明は、複数の端末間の通話路の切り換えが可能な交換機に関するものである。
【背景技術】
【０００２】
近年、防犯効果を得るために、親機と子機との間で通話が可能なインターホンシステムが活用されている。従来のインターホンシステムは、子機と、子機からの呼び出しに応答可能な親機と、親機からの呼び出しに応答が可能な副親機とを有しており、親機及び副親機には、いずれもマイクが装備されている。そして、各マイクから取り込まれた音が異常であれば、親機が異常の状態に応じた通知を外部端末に行うようになっている。このような技術は、例えば以下の文献に開示されている。
【先行技術文献】
【特許文献】
【０００３】
【特許文献１】特許第３８７９６４１号
【発明の概要】
【発明が解決しようとする課題】
【０００４】
しかしながら、従来のインターホンシステムにおいては、例えば副親機のマイクから取り込まれた音が異常であると検出されたとしても、そのときの利用状況等によりシステム内の通話網が確保できず、異常の発生の通知が行えない場合がある。これは、インターホンシステムでは一般に、親機が同時に複数の端末（副親機，子機）と通話することができないため、副親機のマイクから異常音が取り込まれたときに、親機が別の端末（例えば、子機）と通話中であれば、その副親機と親機との間の通話路が利用できないからである。このことは、従来のインターホンシステムでは、親機と端末との間の通話路が同時に複数利用できないことを意味し、特にマイクから異常音が取り込まれた場合には深刻な問題となる。【０００５】
さらに、従来の副親機及び子機は、異常音が否かを検出する機能を備えている。つまり、従来のインターホンシステムでは、端末が異常音か否かの検出を行うため、端末の小型化が制限される。【０００６】
本発明は、このような状況下においてなされたもので、異常音か否かの検出を端末側で行うことなく、複数の端末間の通話路が同時に利用される虞がある状況下であっても、異常音が検出された場合には、その報知を確実に行うことを可能とする交換機を提供することを目的とする。
【課題を解決するための手段】
【０００７】
上記課題を解決するために、本発明は、外部の音を自動的に入出力する音入出力機能を有する第１端末を含む複数の端末と接続された交換機において、それぞれＤＳＰ（Digital Signal Processor）を備えた複数の通話路と、上記各端末と上記各通話路との接続を切り換えるためのスイッチ回路と、上記各ＤＳＰ及びスイッチ回路を制御する通話路制御部とを備え、上記通話路制御部は、上記第１端末に上記複数の通話路のうちのいずれかを優先的に割り当てる制御を行い、割り当てられた通話路のＤＳＰは、上記スイッチ回路を介して入力される上記第１端末からの音が異常音か否かを判断し、異常音と判断したときに上記通話制御部へ通知し、通知を受けた上記通話路制御部は、当該通知に基づいて報知先を決定して当該報知先への報知処理を行うものである。【０００８】
この発明の構成では、端末の利用状況にかかわらず、第１端末の通話路が確保されるので、割り当てられた通話路のＤＳＰが異常音か否かの判断を確実に実施することが可能になり、異常発生時に報知先への報知が確実に行われる。【０００９】
さらに、本発明は、上記複数の通話路の割り当て状況を管理する割当テーブルを格納するメモリを含み、上記通話路制御部は、上記メモリに格納された割当テーブルを参照して、上記第１端末に優先的に割り当てる通話路を動的に切り替えるようにしてもよい。【００１０】
また、上記通話路制御部は、複数の異なる報知方法の中から選択された方法で上記報知先への報知処理を行うようにしてもよい。又、上記通話路制御部は、上記報知処理として、上記異常音が入力された第１端末が設置されているエリアを撮影している監視カメラからの映像情報を表示装置に表示するための処理を行うようにしてもよい。
【発明の効果】
【００１１】
本発明によれば、異常音か否かの検出を端末側で行うことなく、複数の端末間の通話路が同時に利用される虞がある状況下であっても、異常音が検出された場合には、その報知を確実に行うことができる。
【図面の簡単な説明】
【００１２】
【図１】本発明の実施の形態１に係る交換機を含むシステム全体の構成例を示す図である。
【図２】図１の交換機のＤＳＰ及びＣＰＵの機能を示す図である。
【図３】図２の管理テーブルの一例を示す図である。
【図４】図２の割当テーブルの一例を示す図である。
【図５】交換機の起動時の処理を示すフローチャートである。
【図６】第１端末の音入出力機能により取り込まれた異常音を検出する場合の報知処理を示すフローチャートである。
【図７】本発明の実施の形態２に係る交換機を含むシステム全体の構成例を示す図である。
【図８】本発明の実施の形態３に係る交換機を含むシステム全体の構成例を示す図である。
【発明を実施するための形態】
【００１３】
＜実施の形態１＞
図１は、本発明の実施の形態１に係る交換機１０を含むシステム全体の構成例を示す図である。
【００１４】
図１の交換機１０は、１６台の端末２０１、２０２、・・・２１５、３０と接続され、これら端末間の通話路の切り換えが可能に構成されている。この実施の形態では、１５台の端末２０１〜２１５を子機とし、端末３０を親機として説明する。図１の端末２０１には、パトライト４０が接続されている。なお、交換機１０と各端末との間の接続は、有線を介して行われるようにしてもよいし、無線を介して行われるようにしてもよい。
【００１５】
さらに、交換機１０は、外部機器用インタフェース６１（以下、インタフェース６１という）を介してパトライト（表示灯）５０に接続されている。また、交換機１０は、ＬＡＮ( Local Area Network)等のネットワーク網７０を介して、外部機器用インタフェース６２（以下、インタフェース６２という）及び管理端末８０に接続されている。インタフェース６２には、パトライト９０が接続されている。
【００１６】
[交換機の構成]
交換機１０は、図１に示すように、デジタルスイッチ回路１１と、各通話路１２１ａ、１２２ａ，・・・，１２８ａに１つ含まれる８個のＤＳＰ（Digital Signal Processor）１２１、１２２，・・・，１２８と、ＣＰＵ（通話路制御部）１３と、メモリ１４とを備える。この実施の形態の交換機１０には、８本の通話路があるため８個のＤＳＰが搭載されているが、通話路及びＤＳＰの個数は変更してもよい。
【００１７】
デジタルスイッチ回路１１は、１６台の端末２０１〜２１５、３０及び８本の通話路（ＤＳＰ１２１〜１２８）と接続され、各端末と通話路（ＤＳＰ１２１〜１２８）との接続を切り換えるように構成されている。この実施の形態のデジタルスイッチ回路１１は、端末と通話路（ＤＳＰ）との接続を切り換えることで、複数の端末間の接続の切り換えが可能になるように構成されている。
【００１８】
各通話路のＤＳＰ１２１〜１２８は、それぞれ入力された音声信号の符号化又は復号化の処理を行うように構成されており、後述する音声トリガ機能が設定されていれば、異常音の検出も行う。
【００１９】
ＣＰＵ１３は、交換機１０全体の制御を行うように構成されている。この実施の形態のＣＰＵ１３は、デジタルスイッチ１１を制御することで通話路（ＤＳＰ）と端末との接続切り換えを行っている。さらに、ＣＰＵ１３は、コマンドをインタフェース６１に送出することでパトライト５０を点灯させるように構成されている。また、ＣＰＵ１３は、コマンドを、ネットワーク網５０を介してインタフェース６２に送出することでパトライト９０を点灯させるように構成されている。この実施の形態のインタフェース６１（又は６２）は、それぞれ、ＣＰＵ１３からのコマンドに従って接点出力によりパトライト５０（又は９０）を点灯させるように構成されている。
【００２０】
メモリ１４は、交換機１０全体の動作制御に必要なプログラムや各種データが記憶される。
【００２１】
[マスター端末の構成]
次に、マスター端末３０の構成例について図１を参照して説明する。
【００２２】
図１のマスター端末３０は、操作ボタン３０１と、ディスプレイ等の表示部３０２と、送受話器３０３と、ＣＰＵ（図示せず）と、スピーカ（図示せず）等を含んで構成されている。
【００２３】
[子機の構成]
次に、端末２０１〜２１５の構成例について図１を参照して説明する。
【００２４】
図１の各端末２０１〜２１５は、ＣＰＵ（図示せず）等を含んで構成されている。さらに、各端末２０１〜２１５は、マスター端末３０への呼び出しが可能になっている。この実施の形態では、各端末として、カメラ付きのドアホン、親機への連絡が可能なインターホン、ハンズフリー通話等が可能なマスター端末を想定して説明する。
【００２５】
図１の端末２０１は、例えばカメラ付きのドアホンであり、接点出力によりパトライト４０との連動が可能に構成されている。さらに、この実施の形態の端末２０１は、マイク（図示せず）が装備されており、外部の音（悲鳴、騒音、会話等）をマイクで拾って自動的にデジタル変換された音声データにして交換機１０へ出力するように構成されている。以下の説明では、このような機能（音を拾って自動的に出力する機能）を音入出力機能という。この実施の形態では、１６台の端末のうち、４台のドアホン２０１〜２０４（以下、第１端末という）が音入出力機能を有するものとするが、第１端末の台数は変更してもよい。
【００２６】
[管理端末の構成]
図１の管理端末８０は、例えばパーソナルコンピュータであり、モニタ、ＣＰＵ、メモリ等を含んで構成されている。この実施の形態では、管理端末８０は、交換機１０の各種設定、例えば、後述する音声トリガ機能の設定を行うことが可能になっている。
【００２７】
[防犯方法の概略]
次に、上述のシステムによって実現される防犯方法の一例について説明する。
【００２８】
交換機１０は、例えば建物等の守衛室に設置され、各端末２０１〜２１５、３０は、駐車場、玄関ホール、守衛室等に設置されている。例えば、第１端末２０１〜２０４は、駐車場、玄関ホールに設置され、マスター端末３０及び管理端末８０は、守衛室に設置されている。守衛室には、例えば監視員が常駐しており、建物等の監視を行っている。
【００２９】
ここで、第１端末２０１〜２０４が設置されている場所（駐車場、玄関ホール）で悲鳴等の異常音が発生した場合に、その異常事態を即座に報知するための音声トリガ機能を交換機１０は有している。
【００３０】
音声トリガ機能は、交換機１０内の通話路（ＤＳＰ）を、交換機１０に接続されている第1端末に対して優先的に割り当てて、その割り当てたＤＳＰに異常音か否かの検出を行わせる機能である。
【００３１】
管理端末８０において、例えば、第１端末２０１〜２０４に対して、音声トリガ機能を設定することにより、第１端末２０１〜２０４には、予め通話路が割り当てられる。そして割り当てられた各通話路のＤＳＰは、デジタルスイッチ回路１１を介して入力される各第１端末２０１〜２０４からの音声データの音圧を検出し、異常音か否かを判断する。交換機１０は、異常音と判断した場合は、予め設定した報知先に対して異常通知を行うことができる。
【００３２】
第１端末は、音入出力機能によって、外部の音（悲鳴、騒音、会話等）を自動的に取り込んで交換機１０へ出力する。そして、交換機１０は、上記の音声トリガ機能の設定により、第１端末に通話路を割り当てる。
【００３３】
第１端末から出力された音を入力した交換機１０は、第１端末に割り当てた通話路のＤＳＰにおいて、その音が異常音か否かの判断を行い、異常音であれば、異常発生の報知先を決定するようになっている。この実施の形態では、異常発生の報知先として、例えばマスター端末３０が設定されているので、交換機１０は、マスター端末３０への報知を行うため、空いている通話路（ＤＳＰ）を割り当てることで、第１端末とマスター端末３０との間の通話網を形成し、異常発生をマスター端末３０に報知するようになっている。報知方法として、呼び出し音の出力、画像の出力及びパトライトの点灯の方法があるが、交換機１０は、いずれの方法で報知してもよい。
【００３４】
[交換機の機能]
次に、交換機１０のＤＳＰ１２１及びＣＰＵ１３の機能について図２を参照して説明する。
【００３５】
図２は、交換機１０のＤＳＰ１２１及びＣＰＵ１３の機能を示す図である。なお図２では、１個のＤＳＰ１２１が記載されているが、他のＤＳＰ１２２〜１２８もＤＳＰ１２１と同様の機能を有する。
【００３６】
図２の交換機１０のＤＳＰ１２１は、通話処理部１２１１と、検出部１２１２と、通知部１２１３とを備える。
【００３７】
通話処理部１２１１は、接続される端末との通話処理を行う。例えば、通話処理部１２１１は、音信号の符号化又は復号化の処理を行う。
【００３８】
検出部１２１２は、デジタルスイッチ回路１１を介して入力される第１端末からの音を検出し、当該音が異常音か否かを判断する。異常音は、判断対象となる音の音圧、周波数があらかじめ設定されたレベルか否かの観点に基づいてあらかじめ設定されており、検出部１２１２は、上記の観点から異常音か否かの判断を行う。
【００３９】
さらに、検出部１２１２は、ＣＰＵ１３からの要求に従い、第１端末との情報の授受を行う。
【００４０】
通知部１２１３は、検出部１２１２において異常音と判断されたときにＣＰＵ１３へ通知を行う。この通知には、異常音を取り込んだ第１端末の端末Ｎｏ（識別番号）が含まれている。
【００４１】
図２のＣＰＵ１３は、処理部１３１と接続部１３２とを備える。
【００４２】
処理部１３１は、第１端末に複数の通話路（ＤＳＰ）のうちのいずれかの通話路（ＤＳＰ）を優先的に割り当てることで第１端末の通話路（ＤＳＰ）を確保するようにしている。この実施の形態では、例えば、４個のＤＳＰ１２１〜１２４が、４台の第１端末２０１〜２０４のために固定的に割り当てられているものとする。
【００４３】
さらに、処理部１３１は、ＤＳＰの通知部１２１３からの通知に基づいて異常発生の報知先を決定するようになっている。この実施の形態では、異常発生の報知先として、親機の機能を有するマスター端末３０とした場合を一例にあげて説明する。その場合、処理部１３１は、決定したマスター端末３０の通話路として、空いている通話路（ＤＳＰ）を割り当てるようになっている。なお、通話路（ＤＳＰ）に空きがなければ、固定的に割り当てた通話路（ＤＳＰ）を解放して、マスター端末３０に割り当てるようにしてもよい。
【００４４】
この実施の形態の処理部１３１は、後述の各種テーブル１４１、１４２を参照して、通話路（ＤＳＰ）の割り当てを行うようになっている。
【００４５】
処理部１３１は、複数の異なる報知方法のなかから選択された方法でマスター端末３０（報知先）への報知処理を行うようになっている。例えば、報知処理の報知方法として、呼び出し、モニタ（表示部）への画像の出力、パトライトの点灯の３種類が考えられる。
【００４６】
接続部１３２は、処理部１３１により割り当てられた通話路（ＤＳＰ）を介して第１端末とマスター端末３０とを接続させるためにデジタルスイッチ回路１１を制御するようになっている。
【００４７】
図２のメモリ１４は、管理テーブル１４１と、割当テーブル１４２とを記憶する。この実施の形態では、管理テーブル１４１は、端末２０１〜２１５、３０に関する各種情報を保存し、割当テーブル１４２は、８個のＤＳＰ１２１〜１２８の割り当て状況を示す情報を保存する。
【００４８】
図３は、管理テーブル１４１の一例を示す図である。
【００４９】
図３の管理テーブル１４１は、「端末Ｎｏ」と「種別」と「親機Ｎｏ」と「パトライト」と「カメラ」と「音声トリガ機能」と「設置場所」と「外部接点Ｎｏ」との項目を含んで構成されている。「端末Ｎｏ」には、各端末の識別番号が保存され、「種別」には、ドアホン、インターホン又はマスター端末のいずれかが示される。「パトライト」には、パトライトとの連動の有無が示され、「親機Ｎｏ」には、子機と親機とを対応付けるため、対象となる端末に対応付けられる親機の識別番号が保存される。ここでいう親機Ｎｏの親機が、上述の異常発生の報知先となる。この実施の形態では、例えば、端末２０１〜２１５には、マスター端末３０が親機として対応付けられている。「カメラ」には、カメラの搭載の有無が示され、「音声トリガ機能」には、上述の音声トリガ機能の有効または無効が示される。
【００５０】
この実施の形態では、音声トリガ機能を有効設定した場合にその第１端末に通話路（ＤＳＰ）が割り当てられ、割り当てられたＤＳＰはその第１端末の音入出力機能によって取り込まれる音が異常音かどうかの判断を行う。図３の管理テーブル１４１では、例えば４台の第１端末２０１〜２０４の音声トリガ機能が有効に設定されているものとする。
【００５１】
音声トリガ機能の設定は、ソフトウエアによるスケジュール管理または管理端末８０からの遠隔操作で有効又は無効の設定を行うことが可能となっている。
【００５２】
例えば、管理端末８０からの遠隔操作で音声トリガ機能の有効又は無効を設定する場合、管理端末８０は、モニタに表示される選択リストを用いることで、第１端末について音声トリガ機能の有効又は無効を設定するようになっている。選択リストは、選択肢としての第１端末の中から所望の第１端末を、例えばクリック操作により選択できるようになっている。選択肢としての第１端末は、交換機１０と接続されている端末であり、交換機１０は、管理端末８０からの要求で選択肢としての第１端末を管理端末８０に通知するようになっている。
【００５３】
上述の選択リストにより第１端末が選択されると、管理端末８０は、選択に応じてその第１端末の音声トリガ機能を有効又は無効にするためのコマンドを、ネットワーク網７０を介して、交換機１０へ送出する。交換機１０のＣＰＵ１３は、そのコマンドに従って、管理テーブル１４１の「音声トリガ機能」の項目に「有」又は「無」を設定する。
【００５４】
「設置場所」には、各端末が設置されている場所が示され、「外部接点Ｎｏ」には、各インタフェース６１、６２における接点の出力先（例えばパトライト５０、９０）を示す接点番号が保存される。
【００５５】
図４は、割当テーブル１４２の一例を示す図である。
【００５６】
図４の割当テーブル１４２は、「端末Ｎｏ」と「ＤＳＰ Ｎｏ」との項目を含んで構成されている。「ＤＳＰ Ｎｏ」には、端末Ｎｏの端末のために割り当てられているＤＳＰの識別情報が保存されている。この実施の形態では、４個のＤＳＰ１２１〜１２４が、それぞれ第１端末２０１〜２０４のために、固定的に割り当てられており、他のＤＳＰ１２５〜１２８の各々の割り当てについては、端末２０５〜２１５、３０の利用状況に応じて随時行われるようになっている。
【００５７】
次に、この防犯方法を実現するための交換機１０が実行する処理について図５及び図６を参照して説明する。まず、交換機１０の起動時の処理について図５を参照して説明する。
【００５８】
図５は、交換機１０の起動時の処理を示すフローチャートである。なお、図５では、交換機１０の起動時の処理を一例として説明するが、所定のタイミング（例えば、管理端末８０による音声トリガ機能の有効又は無効の設定後）に同様の処理を行うことも可能である。
【００５９】
交換機１０が起動すると、交換機１０（処理部１３１）は、音声トリガ機能が有効な端末の特定処理を行う（ステップＳ１０１）。その場合、処理部１３１は、管理テーブル１４１（図３）を参照し、「音声トリガ機能」の項目が「有（有効）」を示す第１端末の端末Ｎｏを抽出する。この実施の形態では、例えば、音声トリガ機能が有効な第１端末は４台あるので、処理部１３１は、４台の第１端末２０１〜２０４の各々に付与されている４つの端末Ｎｏを抽出する。
【００６０】
次に、交換機１０（処理部１３１）は、音声トリガ機能が有効な端末に通話路の割り当て処理を行う（ステップＳ１０２）。その場合、処理部１３１は、音声トリガ機能が有効な端末それぞれに対して、複数の通話路１２１ａ〜１２８ａのうちのいずれかの通話路を優先的に割り当て、割り当てた通話路のＤＳＰを使用中にする。例えば、音声トリガ機能が有効な４台の第１端末２０１〜２０４それぞれに各通話路１２１ａ〜１２４ａが割り当てられる場合、処理部１３１は、第１端末２０１〜２０４の各端末Ｎｏと、第１端末２０１〜２０４のために割り当てる通話路のＤＳＰ１２１〜１２４のＤＳＰＮｏとをそれぞれ対応付けて、割当テーブル１４２（図４）に保存する。
【００６１】
次に、交換機１０（接続部１３２）は、各第１端末２０１〜２０４と各ＤＳＰ１２１〜１２４との接続処理を行う（ステップＳ１０３）。その場合、接続部１３２は、処理部１３１での割り当て処理に基づいて、各第１端末２０１〜２０４と各ＤＳＰ１２１〜１２４との間を接続するために、デジタルスイッチ回路１１を制御する。これにより、４台の第１端末２０１〜２０４は、それぞれ、ＤＳＰ１２１〜１２４と接続される。つまり、ＤＳＰ１２１は、第１端末２０１に割り当てられ、ＤＳＰ１２２は、第１端末２０２に割り当てられる。これにより、すべての第１端末が、他の端末２０５〜２１５、３０の利用状況にかかわらず、それぞれの通話路（ＤＳＰ）を確保したことになる。なお、他の端末２０５〜２１５、３０の使用時は、交換機１０は、他のＤＳＰ１２５〜１２８の中から、空いているＤＳＰを割り当てるようになっている。
【００６２】
次に、交換機１０（処理部１３１）は、音入出力機能による音声検出の開始指示処理を行う（ステップＳ１０４）。その場合、処理部１３１は、コマンドをＤＳＰ１２１の検出部１２１２へ出力することで、検出部１２１２の動作を開始させるようにしている。処理部１３１からのコマンドを入力した検出部１２１２は、第１端末の音入出力機能によって取り込まれた音を検出し、その音が異常音か否かの判断を行うことが可能になる。
【００６３】
次に、第１端末の音入出力機能により取り込まれた音が異常音であった場合の報知処理について図６を参照して説明する。
【００６４】
図６は、第１端末２０１〜２０４の音入出力機能によって取り込まれた音が異常音であった場合の報知処理を示すフローチャートである。
【００６５】
例えば、第１端末としてのドアホン２０１が、音入出力機能によって自動的に外部の音（例えば、ドアホン２０１周辺にいる人が発した会話）を取り込むと、その音声信号（音信号）を交換機１０へ出力する。ドアホン２０１からの音声信号を入力した交換機１０のＤＳＰ１２１（検出部１２１２）は、ドアホン２０１からの音声を検出し（ステップＳ２０１）、その音声が異常音か否かの判断を行う（ステップＳ２０２）。その場合、検出部１２１２は、例えばドアホン２０１からの音声の音圧があらかじめ設定されたレベルであれば（閾値以上）異常音と判断してもよいし、ドアホン２０１からの音声の周波数があらかじめ設定されたレベル（範囲）であれば異常音と判断してもよい。
【００６６】
ＤＳＰ１２１により異常音と判断されれば、ＤＳＰ１２１（通知部１２１３）は、ＣＰＵ１３に対し、異常音の検出通知を行う（ステップＳ２０３）。
【００６７】
上述の検出通知を受けたＣＰＵ１３（処理部１３１）は、マスター端末３０の通話路（ＤＳＰ）を確保するために割り当て処理を行う（ステップＳ２０４）。その場合、まず処理部１３１は、管理テーブル１４１を参照して、上述の検出通知に示されたドアホン２０１の端末Ｎｏに対応付けられた親機Ｎｏを抽出する。この実施の形態では、マスター端末３０が親機である場合を例にあげて説明しているので、まず、処理部１３１は、管理テーブル１４１の該当するレコードから、マスター端末３０の端末Ｎｏ（親Ｎｏ）を抽出する。そして、処理部１３１は、割当テーブル１４２を参照して、８個の通話路（ＤＳＰ１２１〜１２８）の中から、空いている通話路（ＤＳＰ）を１個決定し（例えば、ＤＳＰ１２８）、そのＤＳＰのＤＳＰＮｏと、抽出した親機Ｎｏ（この実施の形態では、マスター端末３０の端末Ｎｏ）とを対応付けて、割当テーブル１４２（図４）に保存する。
【００６８】
次に、ＣＰＵ１３（接続部１３２）は、マスター端末３０と、割り当てられた通話路（例えばＤＳＰ１２８）との接続処理を行う（ステップＳ２０５）。その場合、接続部１３２は、処理部１３１により割り当てられた通話路（例えばＤＳＰ１２８）とマスター端末３０とを接続させるためにデジタルスイッチ回路１１を制御する。これにより、マスター端末３０の通話路（ＤＳＰ）は確保される。
【００６９】
次に、ＣＰＵ１３（処理部１３１）は、例えばＤＳＰ１２８に対し、マスター端末３０へ呼び出しを行うための呼び出し指示を行う（ステップＳ２０６）。その場合、処理部１３１は、マスター端末３０宛のコマンドをＤＳＰ１２８へ出力し、そのコマンドを入力したＤＳＰ１２８は、当該コマンドを、デジタルスイッチ回路１１を介して、マスター端末３０へ出力する。当該コマンドを入力したマスター端末３０は、例えば内蔵のスピーカから呼び出し音を出力する。あるいは、マスター端末３０は、例えば表示部３０２に呼び出しのための画像を表示する。これにより、例えば監視員が、呼び出しに応答するためにマスター端末３０（例えば操作ボタン３０１）を操作すると、マスター端末３０が、その操作信号を、交換機１０のＤＳＰ１２８を介して、ＣＰＵ１３へ出力する。
【００７０】
なお、図６のステップＳ２０６では、ＣＰＵ１３（処理部１３１）が呼び出し指示を行う場合を例にあげて説明したが、ドアホン２０１のカメラから取り込まれた画像（映像）をマスター端末３０の表示部３０２に出力させるための指示を行うようにしてもよいし、マスター端末３０に接続されたパトライト（図示せず）を点灯させるための指示を行うようにしてもよい。あるいは、ＣＰＵ１３（処理部１３１）は、上記の異なる指示を組み合わせて行うようにしてもよい。
【００７１】
操作信号を入力したＣＰＵ１３（処理部１３１）は、ＤＳＰ１２１（通話処理部）に対し、通話処理の開始コマンドを出力するとともに（ステップＳ２０７）、ＤＳＰ１２８（通話処理部）に対し、通話処理の開始コマンドを出力する（ステップＳ２０８）。
【００７２】
次に、ＣＰＵ１３（接続部１３２）は、ＤＳＰ１２１とＤＳＰ１２８との接続処理を行う（ステップＳ２０９）。その場合、接続部１３２は、その接続処理を実現するためデジタルスイッチ回路１１を制御する。
【００７３】
次に、ＤＳＰ１２１（通話処理部）は、ドアホン２０１とマスター端末３０との間の通話を実現するため通話処理を行うとともに（ステップＳ２１０）、ＤＳＰ１２８（通話処理部）も、ドアホン２０１とマスター端末３０との間の通話を実現するため通話処理を行う（ステップＳ２１１）。その場合、通話処理部は、例えば、音声信号の符号化又は復号化の処理を行う。これにより、例えば監視員は、マスター端末３０を操作して、ドアホン２０１側の相手と通話を行うことが可能になる。
【００７４】
なお、ドアホン２０１とマスター端末３０との間の通話が終わると、マスター端末３０は、所定の信号を交換機１０へ出力する。その信号を入力した交換機１０のＣＰＵ１３（処理部１３１）は、割当テーブル１４２（図４）を参照して、該当するレコード（マスター端末３０とＤＳＰ１２８との対応付けを示すもの）を削除することでＤＳＰ１２８を未使用にする。
【００７５】
そして、ＣＰＵ１３１（接続部１３２）は、ＤＳＰ１２１とＤＳＰ１２８との間の接続、及び、マスター端末３０とＤＳＰ１２８との接続を切断するようデジタルスイッチ回路１１を制御し、ＤＳＰ１２１に対し、音入出力機能によって取り込まれる音声検出の開始指示処理を行うようになっている。これにより、ＤＳＰ１２１の検出部１２１２は、第１端末２０１から取り込まれる音を検出することが可能となり、そのため、上述のステップＳ２０１〜Ｓ２１１の処理が可能になる。
【００７６】
以上説明したように、この実施の形態の交換機１０は、端末２０１〜２１５、３０の利用状況にかかわらず、第１端末２０１〜２０４それぞれの通話路（ＤＳＰ１２１〜１２４）が確保されるので、各ＤＳＰ１２１〜１２４が、第１端末の音入出力機能によって取り込まれた音が異常音か否かの判断を各ＤＳＰ１２１〜１２４において確実に実施することが可能になり、そのため、異常発生時のマスター端末３０への通知が確実に行える。
【００７７】
さらに、この実施の形態の端末２０１〜２１５では、マイク（図示せず）から入力された音を交換機１０へ送信する。そして、交換機１０では、そのマイクからの音が異常か否かについて判断する。従って、このシステムでは、異常音か否かの検出を行うための機能（例えば、回路）を端末側に備える必要がないので、端末２０１〜２１５の小型化を実現することができるようになる。
＜実施の形態２＞
次に、システムの一実施形態として、異常音が検出されたときに、その異常音が発生した現場周辺の映像をも表示可能とするようにしたシステムについて説明する。このシステムでは、実施の形態１のものと異なり、監視カメラを用いて、現場周辺の映像が表示される。そのため、この実施の形態のシステムでは、複数の監視カメラ及びモニタ（表示装置）がシステムに備えられる。
【００７８】
[システムの構成]
図７に、本実施の形態のシステム全体の構成を示す。図７に示すように、このシステムでは、実施の形態１のもの（図１で示したもの）と異なり、複数の監視カメラ４０１，４０２，・・・，４１５と、各監視カメラと通信可能に構成されたスイッチャー７１と、スイッチャー７１と接続されたインタフェース６２Ａと、表示装置としてのモニタ７２とを備える。
【００７９】
なお、図７では、図１に示したシステムと同一の構成については同一の符号を付している。
【００８０】
監視カメラ４０１は、端末２０１が設置されているエリア１で撮影を行い、スイッチャー７１に対して、その映像情報を送信する。この送信は、例えば、常時行われるようにしてもよいし、定期的に行われるようにしてもよいし、監視カメラ４０１の映像が変化したときに行われるようにしてもよい。この実施の形態では、１５台の監視カメラ４０１，４０２，・・・，４１５が設置されているために、各監視カメラ４０１，４０２，・・・，４１５が、スイッチャー７１に対して、各エリア１，２，・・・，１５の映像情報を送信する。
【００８１】
スイッチャー７１は、１５台の監視カメラ４０１，４０２，・・・，４１５から送信される映像情報を受信し、モニタ７２に表示する映像情報の切り替えを行う。この映像情報の切り替えは、所定のタイミングで行われる。所定のタイミングは、例えば、定期的であってもよいし、映像が変化した場合であってもよいし、スイッチャー７１が後述する選択信号（特定の監視カメラへの切り替えを要求するための情報）を受信した場合であってもよい。
【００８２】
インタフェース６２Ａは、実施の形態１のインタフェース６２と異なり、交換機１０から、特定の監視カメラへの切り替えを要求するための選択信号を受信した場合に、スイッチャー７１に対して、図示しない出力端子から接点信号を送信する。この接点信号は、例えばメーク接点スイッチのオン信号である。この実施の形態では、１５台の監視カメラが設置されているため、インタフェース６２Ａの出力端子は、監視カメラの選択を行うためのメーク接点スイッチを１５個備えている。選択信号は、交換機１０のＣＰＵ１３による指示の下で交換機１０から送信される。
【００８３】
スイッチャー７１は、インタフェース６２Ａから接点信号を受信した場合には、モニタ７２に対して、該当する監視カメラの映像情報の切り替えを行うとともにその映像情報の画面を強調する処理（例えば、分割画面の枠を赤色で表示、映像の拡大表示）を実施させる。図７の例では、モニタ７２は、９分割の画面表示を行うために、該当する分割画面７２１の枠を赤色で表示している。
【００８４】
[システムの動作]
本実施の形態において、交換機１０から特定の監視カメラへの切り替えが要求される場合の全体動作について、図６を参照して説明する。なお、本実施の形態のシステムにおいても、図６のステップＳ２０１〜Ｓ２１１の処理を行うが、これらの処理は実施の形態１と同じであるので、ここでは説明を省略する。
【００８５】
以下、本実施の形態のシステムの動作について、実施の形態１と相違する点について説明する。
【００８６】
図６において、ステップＳ２０３の処理の後、ステップ２０３で異常音の検出通知を受けた交換機１０のＣＰＵ１３（処理部１３１）では、さらに、管理テーブル１４１（本実施の形態では、端末Ｎｏと、選択信号としての外部接点Ｎｏとの関連付けも行われている）を参照して、当該検出通知に含まれる第１端末の端末Ｎｏに関連付けられている外部接点Ｎｏ（例えば、監視カメラ４０１への切り替えを要求するためのもの）を選定する。そして、ＣＰＵ１３（処理部１３１）は、ネットワーク網７０を介して、インタフェース６２Ａに対して、選定した外部接点Ｎｏを送信する（異常音が発生したエリアの映像情報をモニタ７２に表示するための報知処理）。これにより、インタフェース６２Ａは、受信した外部接点Ｎｏに対応するメーク接点スイッチをオンし、そのメーク接点スイッチから、スイッチャー７１にオン信号を送信する。その後、スイッチャー７１は、インタフェース６２Ａからのオン信号を受信し、モニタ７２に対して、オン信号によって特定される監視カメラ（例えば、監視カメラ４０１）の映像情報の切り替えを行うとともにその映像情報の画面を強調する処理（例えば、分割画面７２１の枠を赤色で表示）を実施させる。これにより、モニタ７２（報知先）では、異常音が発生した現場周辺の映像を表示（報知）することもできる。
＜実施の形態３＞
次に、実施の形態３のシステムについて説明する。
【００８７】
この実施の形態のシステムは、実施の形態２（図７で示したもの）と異なり、監視カメラの映像情報の切り替えがスイッチャーではなく、管理端末によって行われる。そのため、この実施の形態のシステムでは、複数の監視カメラがネットワーク網に接続される。
【００８８】
図８は、実施の形態３のシステム全体の構成を示す図である。図８に示すように、監視カメラ４０１，４０２，・・・，４１５は、ネットワーク網７０を介して、表示装置としての管理端末８０Ａに接続される。
【００８９】
なお、図８では、図７に示したシステムと同一の構成については同一の符号を付している。
【００９０】
管理端末８０Ａは、実施の形態２における管理端末８０と異なり、監視カメラ４０１，４０２，・・・，４１５の映像情報を表示するため、各監視カメラを一元的に管理可能な構成を備えている。従って、上述したスイッチャー７１及びモニタ７２（図７）に相当する機能を管理端末８０Ａ側に持たせることで、本実施の形態のシステムが、実施の形態２のシステムと同様の作用を実現することができるようになる。
【００９１】
図８では、管理端末８０Ａは、表示画面８１を９つに分割して表示するために、１台の監視カメラからの映像情報を分割画面８１１内に表示している。
【００９２】
本実施の形態のシステムにおいては、その動作に関し、実施の形態２と比較して、監視カメラから送信される映像情報を管理端末８０Ａに表示する点が異なる。なお、本実施の形態のシステムにおいても、図６のステップＳ２０１〜Ｓ２１１の処理を行うが、これらの処理は実施の形態１と同じであるので、ここでは説明を省略する。
【００９３】
以下、本実施の形態のシステムの動作について、実施の形態２と相違する点について説明する。
【００９４】
図６において、ステップＳ２０３の処理の後、交換機１０のＣＰＵ１３（処理部１３１）は、ステップＳ２０３で受けた異常音の検出通知（異常音を入力した端末の端末Ｎｏを含む）に基づいて、異常音を入力した端末が配置されているエリアで撮影している監視カメラに関する情報（例えば、監視カメラＮｏ）を抽出する。ここで、交換機１０のメモリ１４には、検出通知に含まれる端末Ｎｏと、その端末Ｎｏによって特定される端末が設置されているエリアで撮影している監視カメラに関する情報とが記憶されており、ＣＰＵ１３（処理部１３１）は、その記憶内容を参照して、上記検出通知に含まれる端末Ｎｏに対応する、監視カメラに関する情報を抽出する。そして、ＣＰＵ１３（処理部１３１）は、ネットワーク網７０を介して、管理端末８０Ａに対して、抽出した監視カメラに関する情報を送信する（異常音が発生したエリアの映像情報をモニタ７２に表示するための報知処理）。これにより、管理端末８０Ａは、ＣＰＵ１３（処理部１３１）から、監視カメラに関する情報を受信し、その情報によって特定される監視カメラの切り替えを行うとともにその映像情報の画面を強調する処理（例えば、分割画面８１１の枠を赤色で表示）を行う。これにより、本実施の形態のシステムにおいても、管理端末８０Ａ（報知先）は、異常音が検出された場合に、異常音が発生した現場周辺の映像を表示（報知）することができる。
【００９５】
[変形例]
次に、上述した実施の形態の変形例について説明する。
【００９６】
以上では、第１端末２０１〜２０４のために４個のＤＳＰ１２１〜１２４を固定して割り当てた場合について説明したが、いずれかのＤＳＰを動的に割り当てることでＤＳＰを優先的に割り当てるようにしてもよい。動的に割り当てる方法として、例えば、所定の時間（例えば、５秒）毎にＤＳＰを切り替え方法がある。その場合、処理部１３１は、所定に時間毎に、第１端末の各々に割り当てるＤＳＰを切り替え、接続部１３２は、切り替えられたＤＳＰと第１端末との接続を行うためにデジタルスイッチ回路１１を制御する。このようにしても、第１端末とＤＳＰとの間の通話網を確保することが可能になる。
【００９７】
また、動的に割り当てる方法として、例えば、スケジュール管理に従ってＤＳＰを切り替える方法もある。スケジュール管理には、ＤＳＰを動的に割り当てるパターン（例えば、時間帯に応じて、ＤＳＰを固定あるいは動的に切り替える等）があらかじめ設定されている。
【００９８】
また、上述の実施の形態では、異常発生の報知先として、マスター端末３０、モニタ７２、管理装置８０Ａの場合について説明したが、ネットワーク網７０を介して別の交換機側に管理されている第２端末（親機）を報知先としてもよい。その場合、図３の管理テーブル１４１は、例えば、第１端末と第２端末（あるいは第２端末を管理する別の交換機）との対応付けが示されたレコードを有しており、ＣＰＵ１３（処理部１３１）は、例えばＤＳＰ１２１の通知部１２１１からの通知を受け付けると、管理テーブル１４１の該当するレコードを参照して、第２端末を異常発生の報知先として決定する。そして、ＣＰＵ１３（処理部１３１）は、通知部１２１１からの通知を、ネットワーク網を介して、別の交換機に行う。別の交換機は、交換機１０と同様に構成されており、通知部１２１１からの通知を受けた別の交換機では、ＣＰＵが第２端末に通話路（ＤＳＰ）を割り当てて、そのＤＳＰに通話処理の開始コマンドを出力する（図６のステップＳ２０４〜Ｓ２０６、Ｓ２０８と同様の処理）。一方、別の交換機（ＣＰＵ）からの開始コマンドの出力の通知を受けた交換機１０も、第１端末に割り当てているＤＳＰへ通話開始の開始コマンドを出力する（図６のステップＳ２０７と同様の処理）。これにより、第１端末と第２端末との間での通話が２台の交換機を介して可能になる（図６のステップＳ２０９〜Ｓ２１１と同様の処理）。
【００９９】
また、上述の実施の形態では、異常発生の報知先は、マスター端末３０の１箇所の場合で説明したが、複数の箇所であってもよい。例えば、マスター端末３０とパトライト５０の２箇所を報知先としてもよい。その場合、ＣＰＵ１３（処理部１３１）は、ＤＳＰの通知部１２１１からの通知を受けると、管理テーブル１４１の該当するレコード（「親機Ｎｏ」及び「外部接点Ｎｏ」の項目）を参照して、マスター端末３０及びパトライト５０を報知先として決定する。そして、ＤＳＰの通知部１２１１からの通知を受けたＣＰＵ１３（処理部１３１）は、図６のステップＳ２０４〜Ｓ２１１の処理を行ってマスター端末３０と第１端末との通話を可能にするとともに、インタフェース６１にコマンドを送出することでインタフェース６１の接点出力によりパトライト５０を点灯させるようにしてもよい。あるいは、ＣＰＵ１３（処理部１３１）は、インタフェース６２にコマンドを送出することでインタフェース６２の接点出力によりパトライト９０を点灯させるようにしてもよい。このようにしても、外部への通知が確実に行わる。あるいは、マスター端末３０とモニタ７２と管理端末８０Ａの３箇所（実施の形態１〜３を組み合わせた場合のもの）を報知先としてもよい。
【０１００】
なお、実施上のハードウエア構成および処理順序は、本発明の趣旨を逸脱しない限り、変更してもよい。例えば、交換機１０は、複数台で分散処理するようにしてもよい。
【符号の説明】
【０１０１】
１０  交換機
１１  デジタルスイッチ回路
１３  ＣＰＵ
１４  メモリ
３０  マスター端末
４０、５０、９０  パトライト
１２１〜１２８  ＤＳＰ
１３１  処理部
１３２  接続部
【図１】
2010090249.tif 000003
【図２】
2010090249.tif 000004
【図３】
2010090249.tif 000005
【図４】
2010090249.tif 000006
【図５】
2010090249.tif 000007
【図６】
2010090249.tif 000008
【図７】
2010090249.tif 000009
【図８】
2010090249.tif 000010
【手続補正書】
【提出日】平成23年8月4日(2011.8.4)
【手続補正１】
【補正対象書類名】明細書
【補正対象項目名】全文
【補正方法】変更
【補正の内容】
【発明の詳細な説明】
【技術分野】
【０００１】
本発明は、複数の端末間の通話路の切り換えが可能な交換機に関するものである。
【背景技術】
【０００２】
近年、防犯効果を得るために、親機と子機との間で通話が可能なインターホンシステムが活用されている。従来のインターホンシステムは、子機と、子機からの呼び出しに応答可能な親機と、親機からの呼び出しに応答が可能な副親機とを有しており、親機及び副親機には、いずれもマイクが装備されている。そして、各マイクから取り込まれた音が異常であれば、親機が異常の状態に応じた通知を外部端末に行うようになっている。このような技術は、例えば以下の文献に開示されている。
【先行技術文献】
【特許文献】
【０００３】
【特許文献１】特許第３８７９６４１号
【発明の概要】
【発明が解決しようとする課題】
【０００４】
しかしながら、従来のインターホンシステムにおいては、例えば副親機のマイクから取り込まれた音が異常であると検出されたとしても、そのときの利用状況等によりシステム内の通話網が確保できず、異常の発生の通知が行えない場合がある。これは、インターホンシステムでは一般に、親機が同時に複数の端末（副親機，子機）と通話することができないため、副親機のマイクから異常音が取り込まれたときに、親機が別の端末（例えば、子機）と通話中であれば、その副親機と親機との間の通話路が利用できないからである。このことは、従来のインターホンシステムでは、親機と端末との間の通話路が同時に複数利用できないことを意味し、特にマイクから異常音が取り込まれた場合には深刻な問題となる。
【０００５】
さらに、従来の副親機及び子機は、異常音が否かを検出する機能を備えている。つまり、従来のインターホンシステムでは、端末が異常音か否かの検出を行うため、端末の小型化が制限される。
【０００６】
本発明は、このような状況下においてなされたもので、異常音か否かの検出を端末側で行うことなく、複数の端末間の通話路が同時に利用される虞がある状況下であっても、異常音が検出された場合には、その報知を確実に行うことを可能とする交換機を提供することを目的とする。
【課題を解決するための手段】
【０００７】
上記課題を解決するために、本発明は、外部の音を自動的に入出力する音入出力機能を有する第１端末を含む複数の端末と接続された交換機において、それぞれＤＳＰ（Digital Signal Processor）を備えた複数の通話路と、上記各端末と上記各通話路との接続を切り換えるためのスイッチ回路と、上記各ＤＳＰ及びスイッチ回路を制御する通話路制御部とを備え、上記通話路制御部は、上記第１端末に上記複数の通話路のうちのいずれかを優先的に割り当てる制御を行い、割り当てられた通話路のＤＳＰは、上記スイッチ回路を介して入力される上記第１端末からの音が異常音か否かを判断し、異常音と判断したときに上記通話路制御部へ通知し、通知を受けた上記通話路制御部は、当該通知に基づいて報知先を決定して当該報知先への報知処理を行うものである。
【０００８】
この発明の構成では、端末の利用状況にかかわらず、第１端末の通話路が確保されるので、割り当てられた通話路のＤＳＰが異常音か否かの判断を確実に実施することが可能になり、異常発生時に報知先への報知が確実に行われる。
【０００９】
さらに、本発明は、上記複数の通話路の割り当て状況を管理する割当テーブルを格納するメモリを含み、上記通話路制御部は、上記メモリに格納された割当テーブルを参照して、上記第１端末に優先的に割り当てる通話路を動的に切り替えるようにしてもよい。
【００１０】
また、上記通話路制御部は、複数の異なる報知方法の中から選択された方法で上記報知先への報知処理を行うようにしてもよい。又、上記通話路制御部は、上記報知処理として、上記異常音が入力された第１端末が設置されているエリアを撮影している監視カメラからの映像情報を表示装置に表示するための処理を行うようにしてもよい。
【発明の効果】
【００１１】
本発明によれば、異常音か否かの検出を端末側で行うことなく、複数の端末間の通話路が同時に利用される虞がある状況下であっても、異常音が検出された場合には、その報知を確実に行うことができる。
【図面の簡単な説明】
【００１２】
【図１】本発明の実施の形態１に係る交換機を含むシステム全体の構成例を示す図である。
【図２】図１の交換機のＤＳＰ及びＣＰＵの機能を示す図である。
【図３】図２の管理テーブルの一例を示す図である。
【図４】図２の割当テーブルの一例を示す図である。
【図５】交換機の起動時の処理を示すフローチャートである。
【図６】第１端末の音入出力機能により取り込まれた異常音を検出する場合の報知処理を示すフローチャートである。
【図７】本発明の実施の形態２に係る交換機を含むシステム全体の構成例を示す図である。
【図８】本発明の実施の形態３に係る交換機を含むシステム全体の構成例を示す図である。
【発明を実施するための形態】
【００１３】
＜実施の形態１＞
図１は、本発明の実施の形態１に係る交換機１０を含むシステム全体の構成例を示す図である。
【００１４】
図１の交換機１０は、１６台の端末２０１、２０２、・・・２１５、３０と接続され、これら端末間の通話路の切り換えが可能に構成されている。この実施の形態では、１５台の端末２０１〜２１５を子機とし、端末３０を親機として説明する。図１の端末２０１には、パトライト４０が接続されている。なお、交換機１０と各端末との間の接続は、有線を介して行われるようにしてもよいし、無線を介して行われるようにしてもよい。
【００１５】
さらに、交換機１０は、外部機器用インタフェース６１（以下、インタフェース６１という）を介してパトライト（表示灯）５０に接続されている。また、交換機１０は、ＬＡＮ( Local Area Network)等のネットワーク網７０を介して、外部機器用インタフェース６２（以下、インタフェース６２という）及び管理端末８０に接続されている。インタフェース６２には、パトライト９０が接続されている。
【００１６】
[交換機の構成]
交換機１０は、図１に示すように、デジタルスイッチ回路１１と、各通話路１２１ａ、１２２ａ，・・・，１２８ａに１つ含まれる８個のＤＳＰ（Digital Signal Processor）１２１、１２２，・・・，１２８と、ＣＰＵ（通話路制御部）１３と、メモリ１４とを備える。この実施の形態の交換機１０には、８本の通話路があるため８個のＤＳＰが搭載されているが、通話路及びＤＳＰの個数は変更してもよい。
【００１７】
デジタルスイッチ回路１１は、１６台の端末２０１〜２１５、３０及び８本の通話路（ＤＳＰ１２１〜１２８）と接続され、各端末と通話路（ＤＳＰ１２１〜１２８）との接続を切り換えるように構成されている。この実施の形態のデジタルスイッチ回路１１は、端末と通話路（ＤＳＰ）との接続を切り換えることで、複数の端末間の接続の切り換えが可能になるように構成されている。
【００１８】
各通話路のＤＳＰ１２１〜１２８は、それぞれ入力された音声信号の符号化又は復号化の処理を行うように構成されており、後述する音声トリガ機能が設定されていれば、異常音の検出も行う。
【００１９】
ＣＰＵ１３は、交換機１０全体の制御を行うように構成されている。この実施の形態のＣＰＵ１３は、デジタルスイッチ回路１１を制御することで通話路（ＤＳＰ）と端末との接続切り換えを行っている。さらに、ＣＰＵ１３は、コマンドをインタフェース６１に送出することでパトライト５０を点灯させるように構成されている。また、ＣＰＵ１３は、コマンドを、ネットワーク網７０を介してインタフェース６２に送出することでパトライト９０を点灯させるように構成されている。この実施の形態のインタフェース６１（又は６２）は、それぞれ、ＣＰＵ１３からのコマンドに従って接点出力によりパトライト５０（又は９０）を点灯させるように構成されている。
メモリ１４は、交換機１０全体の動作制御に必要なプログラムや各種データが記憶される。
【００２０】
[マスター端末の構成]
次に、マスター端末３０の構成例について図１を参照して説明する。
【００２１】
図１のマスター端末３０は、操作ボタン３０１と、ディスプレイ等の表示部３０２と、送受話器３０３と、ＣＰＵ（図示せず）と、スピーカ（図示せず）等を含んで構成されている。
【００２２】
[子機の構成]
次に、端末２０１〜２１５の構成例について図１を参照して説明する。
図１の各端末２０１〜２１５は、ＣＰＵ（図示せず）等を含んで構成されている。さらに、各端末２０１〜２１５は、マスター端末３０への呼び出しが可能になっている。この実施の形態では、各端末として、カメラ付きのドアホン、親機への連絡が可能なインターホン、ハンズフリー通話等が可能なマスター端末を想定して説明する。
【００２３】
図１の端末２０１は、例えばカメラ付きのドアホンであり、接点出力によりパトライト４０との連動が可能に構成されている。さらに、この実施の形態の端末２０１は、マイク（図示せず）が装備されており、外部の音（悲鳴、騒音、会話等）をマイクで拾って自動的にデジタル変換された音声データにして交換機１０へ出力するように構成されている。以下の説明では、このような機能（音を拾って自動的に出力する機能）を音入出力機能という。この実施の形態では、１６台の端末のうち、４台のドアホン２０１〜２０４（以下、第１端末という）が音入出力機能を有するものとするが、第１端末の台数は変更してもよい。
【００２４】
[管理端末の構成]
図１の管理端末８０は、例えばパーソナルコンピュータであり、モニタ、ＣＰＵ、メモリ等を含んで構成されている。この実施の形態では、管理端末８０は、交換機１０の各種設定、例えば、後述する音声トリガ機能の設定を行うことが可能になっている。
【００２５】
[防犯方法の概略]
次に、上述のシステムによって実現される防犯方法の一例について説明する。
交換機１０は、例えば建物等の守衛室に設置され、各端末２０１〜２１５、３０は、駐車場、玄関ホール、守衛室等に設置されている。例えば、第１端末２０１〜２０４は、駐車場、玄関ホールに設置され、マスター端末３０及び管理端末８０は、守衛室に設置されている。守衛室には、例えば監視員が常駐しており、建物等の監視を行っている。
【００２６】
ここで、第１端末２０１〜２０４が設置されている場所（駐車場、玄関ホール）で悲鳴等の異常音が発生した場合に、その異常事態を即座に報知するための音声トリガ機能を交換機１０は有している。
【００２７】
音声トリガ機能は、交換機１０内の通話路（ＤＳＰ）を、交換機１０に接続されている第1端末に対して優先的に割り当てて、その割り当てたＤＳＰに異常音か否かの検出を行わせる機能である。
【００２８】
管理端末８０において、例えば、第１端末２０１〜２０４に対して、音声トリガ機能を設定することにより、第１端末２０１〜２０４には、予め通話路が割り当てられる。そして割り当てられた各通話路のＤＳＰは、デジタルスイッチ回路１１を介して入力される各第１端末２０１〜２０４からの音声データの音圧を検出し、異常音か否かを判断する。交換機１０は、異常音と判断した場合は、予め設定した報知先に対して異常通知を行うことができる。
【００２９】
第１端末は、音入出力機能によって、外部の音（悲鳴、騒音、会話等）を自動的に取り込んで交換機１０へ出力する。そして、交換機１０は、上記の音声トリガ機能の設定により、第１端末に通話路を割り当てる。
【００３０】
第１端末から出力された音を入力した交換機１０は、第１端末に割り当てた通話路のＤＳＰにおいて、その音が異常音か否かの判断を行い、異常音であれば、異常発生の報知先を決定するようになっている。この実施の形態では、異常発生の報知先として、例えばマスター端末３０が設定されているので、交換機１０は、マスター端末３０への報知を行うため、空いている通話路（ＤＳＰ）を割り当てることで、第１端末とマスター端末３０との間の通話網を形成し、異常発生をマスター端末３０に報知するようになっている。報知方法として、呼び出し音の出力、画像の出力及びパトライトの点灯の方法があるが、交換機１０は、いずれの方法で報知してもよい。
【００３１】
[交換機の機能]
次に、交換機１０のＤＳＰ１２１及びＣＰＵ１３の機能について図２を参照して説明する。
【００３２】
図２は、交換機１０のＤＳＰ１２１及びＣＰＵ１３の機能を示す図である。なお図２では、１個のＤＳＰ１２１が記載されているが、他のＤＳＰ１２２〜１２８もＤＳＰ１２１と同様の機能を有する。
【００３３】
図２の交換機１０のＤＳＰ１２１は、通話処理部１２１１と、検出部１２１２と、通知部１２１３とを備える。
通話処理部１２１１は、接続される端末との通話処理を行う。例えば、通話処理部１２１１は、音信号の符号化又は復号化の処理を行う。
【００３４】
検出部１２１２は、デジタルスイッチ回路１１を介して入力される第１端末からの音を検出し、当該音が異常音か否かを判断する。異常音は、判断対象となる音の音圧、周波数があらかじめ設定されたレベルか否かの観点に基づいてあらかじめ設定されており、検出部１２１２は、上記の観点から異常音か否かの判断を行う。
【００３５】
さらに、検出部１２１２は、ＣＰＵ１３からの要求に従い、第１端末との情報の授受を行う。
通知部１２１３は、検出部１２１２において異常音と判断されたときにＣＰＵ１３へ通知を行う。この通知には、異常音を取り込んだ第１端末の端末Ｎｏ（識別番号）が含まれている。
【００３６】
図２のＣＰＵ１３は、処理部１３１と接続部１３２とを備える。
処理部１３１は、第１端末に複数の通話路（ＤＳＰ）のうちのいずれかの通話路（ＤＳＰ）を優先的に割り当てることで第１端末の通話路（ＤＳＰ）を確保するようにしている。この実施の形態では、例えば、４個のＤＳＰ１２１〜１２４が、４台の第１端末２０１〜２０４のために固定的に割り当てられているものとする。
【００３７】
さらに、処理部１３１は、ＤＳＰの通知部１２１３からの通知に基づいて異常発生の報知先を決定するようになっている。この実施の形態では、異常発生の報知先として、親機の機能を有するマスター端末３０とした場合を一例にあげて説明する。その場合、処理部１３１は、決定したマスター端末３０の通話路として、空いている通話路（ＤＳＰ）を割り当てるようになっている。なお、通話路（ＤＳＰ）に空きがなければ、固定的に割り当てた通話路（ＤＳＰ）を解放して、マスター端末３０に割り当てるようにしてもよい。
【００３８】
この実施の形態の処理部１３１は、後述の各種テーブル１４１、１４２を参照して、通話路（ＤＳＰ）の割り当てを行うようになっている。
処理部１３１は、複数の異なる報知方法のなかから選択された方法でマスター端末３０（報知先）への報知処理を行うようになっている。例えば、報知処理の報知方法として、呼び出し、モニタ（表示部）への画像の出力、パトライトの点灯の３種類が考えられる。
【００３９】
接続部１３２は、処理部１３１により割り当てられた通話路（ＤＳＰ）を介して第１端末とマスター端末３０とを接続させるためにデジタルスイッチ回路１１を制御するようになっている。
【００４０】
図２のメモリ１４は、管理テーブル１４１と、割当テーブル１４２とを記憶する。この実施の形態では、管理テーブル１４１は、端末２０１〜２１５、３０に関する各種情報を保存し、割当テーブル１４２は、８個のＤＳＰ１２１〜１２８の割り当て状況を示す情報を保存する。
【００４１】
図３は、管理テーブル１４１の一例を示す図である。
図３の管理テーブル１４１は、「端末Ｎｏ」と「種別」と「親機Ｎｏ」と「パトライト」と「カメラ」と「音声トリガ機能」と「設置場所」と「外部接点Ｎｏ」との項目を含んで構成されている。「端末Ｎｏ」には、各端末の識別番号が保存され、「種別」には、ドアホン、インターホン又はマスター端末のいずれかが示される。「パトライト」には、パトライトとの連動の有無が示され、「親機Ｎｏ」には、子機と親機とを対応付けるため、対象となる端末に対応付けられる親機の識別番号が保存される。ここでいう親機Ｎｏの親機が、上述の異常発生の報知先となる。この実施の形態では、例えば、端末２０１〜２１５には、マスター端末３０が親機として対応付けられている。「カメラ」には、カメラの搭載の有無が示され、「音声トリガ機能」には、上述の音声トリガ機能の有効または無効が示される。
【００４２】
この実施の形態では、音声トリガ機能を有効設定した場合にその第１端末に通話路（ＤＳＰ）が割り当てられ、割り当てられたＤＳＰはその第１端末の音入出力機能によって取り込まれる音が異常音かどうかの判断を行う。図３の管理テーブル１４１では、例えば４台の第１端末２０１〜２０４の音声トリガ機能が有効に設定されているものとする。
【００４３】
音声トリガ機能の設定は、ソフトウエアによるスケジュール管理または管理端末８０からの遠隔操作で有効又は無効の設定を行うことが可能となっている。
例えば、管理端末８０からの遠隔操作で音声トリガ機能の有効又は無効を設定する場合、管理端末８０は、モニタに表示される選択リストを用いることで、第１端末について音声トリガ機能の有効又は無効を設定するようになっている。選択リストは、選択肢としての第１端末の中から所望の第１端末を、例えばクリック操作により選択できるようになっている。選択肢としての第１端末は、交換機１０と接続されている端末であり、交換機１０は、管理端末８０からの要求で選択肢としての第１端末を管理端末８０に通知するようになっている。
【００４４】
上述の選択リストにより第１端末が選択されると、管理端末８０は、選択に応じてその第１端末の音声トリガ機能を有効又は無効にするためのコマンドを、ネットワーク網７０を介して、交換機１０へ送出する。交換機１０のＣＰＵ１３は、そのコマンドに従って、管理テーブル１４１の「音声トリガ機能」の項目に「有」又は「無」を設定する。
【００４５】
「設置場所」には、各端末が設置されている場所が示され、「外部接点Ｎｏ」には、各インタフェース６１、６２における接点の出力先（例えばパトライト５０、９０）を示す接点番号が保存される。
【００４６】
図４は、割当テーブル１４２の一例を示す図である。
図４の割当テーブル１４２は、「端末Ｎｏ」と「ＤＳＰ Ｎｏ」との項目を含んで構成されている。「ＤＳＰ Ｎｏ」には、端末Ｎｏの端末のために割り当てられているＤＳＰの識別情報が保存されている。この実施の形態では、４個のＤＳＰ１２１〜１２４が、それぞれ第１端末２０１〜２０４のために、固定的に割り当てられており、他のＤＳＰ１２５〜１２８の各々の割り当てについては、端末２０５〜２１５、３０の利用状況に応じて随時行われるようになっている。
【００４７】
次に、この防犯方法を実現するための交換機１０が実行する処理について図５及び図６を参照して説明する。まず、交換機１０の起動時の処理について図５を参照して説明する。
【００４８】
図５は、交換機１０の起動時の処理を示すフローチャートである。なお、図５では、交換機１０の起動時の処理を一例として説明するが、所定のタイミング（例えば、管理端末８０による音声トリガ機能の有効又は無効の設定後）に同様の処理を行うことも可能である。
【００４９】
交換機１０が起動すると、交換機１０（処理部１３１）は、音声トリガ機能が有効な端末の特定処理を行う（ステップＳ１０１）。その場合、処理部１３１は、管理テーブル１４１（図３）を参照し、「音声トリガ機能」の項目が「有（有効）」を示す第１端末の端末Ｎｏを抽出する。この実施の形態では、例えば、音声トリガ機能が有効な第１端末は４台あるので、処理部１３１は、４台の第１端末２０１〜２０４の各々に付与されている４つの端末Ｎｏを抽出する。
【００５０】
次に、交換機１０（処理部１３１）は、音声トリガ機能が有効な端末に通話路の割り当て処理を行う（ステップＳ１０２）。その場合、処理部１３１は、音声トリガ機能が有効な端末それぞれに対して、複数の通話路１２１ａ〜１２８ａのうちのいずれかの通話路を優先的に割り当て、割り当てた通話路のＤＳＰを使用中にする。例えば、音声トリガ機能が有効な４台の第１端末２０１〜２０４それぞれに各通話路１２１ａ〜１２４ａが割り当てられる場合、処理部１３１は、第１端末２０１〜２０４の各端末Ｎｏと、第１端末２０１〜２０４のために割り当てる通話路のＤＳＰ１２１〜１２４のＤＳＰ Ｎｏとをそれぞれ対応付けて、割当テーブル１４２（図４）に保存する。
【００５１】
次に、交換機１０（接続部１３２）は、各第１端末２０１〜２０４と各ＤＳＰ１２１〜１２４との接続処理を行う（ステップＳ１０３）。その場合、接続部１３２は、処理部１３１での割り当て処理に基づいて、各第１端末２０１〜２０４と各ＤＳＰ１２１〜１２４との間を接続するために、デジタルスイッチ回路１１を制御する。これにより、４台の第１端末２０１〜２０４は、それぞれ、ＤＳＰ１２１〜１２４と接続される。つまり、ＤＳＰ１２１は、第１端末２０１に割り当てられ、ＤＳＰ１２２は、第１端末２０２に割り当てられる。これにより、すべての第１端末が、他の端末２０５〜２１５、３０の利用状況にかかわらず、それぞれの通話路（ＤＳＰ）を確保したことになる。なお、他の端末２０５〜２１５、３０の使用時は、交換機１０は、他のＤＳＰ１２５〜１２８の中から、空いているＤＳＰを割り当てるようになっている。
【００５２】
次に、交換機１０（処理部１３１）は、音入出力機能による音声検出の開始指示処理を行う（ステップＳ１０４）。その場合、処理部１３１は、コマンドをＤＳＰ１２１の検出部１２１２へ出力することで、検出部１２１２の動作を開始させるようにしている。処理部１３１からのコマンドを入力した検出部１２１２は、第１端末の音入出力機能によって取り込まれた音を検出し、その音が異常音か否かの判断を行うことが可能になる。
【００５３】
次に、第１端末の音入出力機能により取り込まれた音が異常音であった場合の報知処理について図６を参照して説明する。
図６は、第１端末２０１〜２０４の音入出力機能によって取り込まれた音が異常音であった場合の報知処理を示すフローチャートである。
【００５４】
例えば、第１端末としてのドアホン２０１が、音入出力機能によって自動的に外部の音（例えば、ドアホン２０１周辺にいる人が発した会話）を取り込むと、その音声信号（音信号）を交換機１０へ出力する。ドアホン２０１からの音声信号を入力した交換機１０のＤＳＰ１２１（検出部１２１２）は、ドアホン２０１からの音声を検出し（ステップＳ２０１）、その音声が異常音か否かの判断を行う（ステップＳ２０２）。その場合、検出部１２１２は、例えばドアホン２０１からの音声の音圧があらかじめ設定されたレベルであれば（閾値以上）異常音と判断してもよいし、ドアホン２０１からの音声の周波数があらかじめ設定されたレベル（範囲）であれば異常音と判断してもよい。
【００５５】
ＤＳＰ１２１により異常音と判断されれば、ＤＳＰ１２１（通知部１２１３）は、ＣＰＵ１３に対し、異常音の検出通知を行う（ステップＳ２０３）。
上述の検出通知を受けたＣＰＵ１３（処理部１３１）は、マスター端末３０の通話路（ＤＳＰ）を確保するために割り当て処理を行う（ステップＳ２０４）。その場合、まず処理部１３１は、管理テーブル１４１を参照して、上述の検出通知に示されたドアホン２０１の端末Ｎｏに対応付けられた親機Ｎｏを抽出する。この実施の形態では、マスター端末３０が親機である場合を例にあげて説明しているので、まず、処理部１３１は、管理テーブル１４１の該当するレコードから、マスター端末３０の端末Ｎｏ（親機Ｎｏ）を抽出する。そして、処理部１３１は、割当テーブル１４２を参照して、８個の通話路（ＤＳＰ１２１〜１２８）の中から、空いている通話路（ＤＳＰ）を１個決定し（例えば、ＤＳＰ１２８）、そのＤＳＰのＤＳＰ Ｎｏと、抽出した親機Ｎｏ（この実施の形態では、マスター端末３０の端末Ｎｏ）とを対応付けて、割当テーブル１４２（図４）に保存する。
【００５６】
次に、ＣＰＵ１３（接続部１３２）は、マスター端末３０と、割り当てられた通話路（例えばＤＳＰ１２８）との接続処理を行う（ステップＳ２０５）。その場合、接続部１３２は、処理部１３１により割り当てられた通話路（例えばＤＳＰ１２８）とマスター端末３０とを接続させるためにデジタルスイッチ回路１１を制御する。これにより、マスター端末３０の通話路（ＤＳＰ）は確保される。
【００５７】
次に、ＣＰＵ１３（処理部１３１）は、例えばＤＳＰ１２８に対し、マスター端末３０へ呼び出しを行うための呼び出し指示を行う（ステップＳ２０６）。その場合、処理部１３１は、マスター端末３０宛のコマンドをＤＳＰ１２８へ出力し、そのコマンドを入力したＤＳＰ１２８は、当該コマンドを、デジタルスイッチ回路１１を介して、マスター端末３０へ出力する。当該コマンドを入力したマスター端末３０は、例えば内蔵のスピーカから呼び出し音を出力する。あるいは、マスター端末３０は、例えば表示部３０２に呼び出しのための画像を表示する。これにより、例えば監視員が、呼び出しに応答するためにマスター端末３０（例えば操作ボタン３０１）を操作すると、マスター端末３０が、その操作信号を、交換機１０のＤＳＰ１２８を介して、ＣＰＵ１３へ出力する。
【００５８】
なお、図６のステップＳ２０６では、ＣＰＵ１３（処理部１３１）が呼び出し指示を行う場合を例にあげて説明したが、ドアホン２０１のカメラから取り込まれた画像（映像）をマスター端末３０の表示部３０２に出力させるための指示を行うようにしてもよいし、マスター端末３０に接続されたパトライト（図示せず）を点灯させるための指示を行うようにしてもよい。あるいは、ＣＰＵ１３（処理部１３１）は、上記の異なる指示を組み合わせて行うようにしてもよい。
操作信号を入力したＣＰＵ１３（処理部１３１）は、ＤＳＰ１２１（通話処理部）に対し、通話処理の開始コマンドを出力するとともに（ステップＳ２０７）、ＤＳＰ１２８（通話処理部）に対し、通話処理の開始コマンドを出力する（ステップＳ２０８）。
【００５９】
次に、ＣＰＵ１３（接続部１３２）は、ＤＳＰ１２１とＤＳＰ１２８との接続処理を行う（ステップＳ２０９）。その場合、接続部１３２は、その接続処理を実現するためデジタルスイッチ回路１１を制御する。
【００６０】
次に、ＤＳＰ１２１（通話処理部）は、ドアホン２０１とマスター端末３０との間の通話を実現するため通話処理を行うとともに（ステップＳ２１０）、ＤＳＰ１２８（通話処理部）も、ドアホン２０１とマスター端末３０との間の通話を実現するため通話処理を行う（ステップＳ２１１）。その場合、通話処理部は、例えば、音声信号の符号化又は復号化の処理を行う。これにより、例えば監視員は、マスター端末３０を操作して、ドアホン２０１側の相手と通話を行うことが可能になる。
【００６１】
なお、ドアホン２０１とマスター端末３０との間の通話が終わると、マスター端末３０は、所定の信号を交換機１０へ出力する。その信号を入力した交換機１０のＣＰＵ１３（処理部１３１）は、割当テーブル１４２（図４）を参照して、該当するレコード（マスター端末３０とＤＳＰ１２８との対応付けを示すもの）を削除することでＤＳＰ１２８を未使用にする。
【００６２】
そして、ＣＰＵ１３１（接続部１３２）は、ＤＳＰ１２１とＤＳＰ１２８との間の接続、及び、マスター端末３０とＤＳＰ１２８との接続を切断するようデジタルスイッチ回路１１を制御し、ＤＳＰ１２１に対し、音入出力機能によって取り込まれる音声検出の開始指示処理を行うようになっている。これにより、ＤＳＰ１２１の検出部１２１２は、第１端末２０１から取り込まれる音を検出することが可能となり、そのため、上述のステップＳ２０１〜Ｓ２１１の処理が可能になる。
【００６３】
以上説明したように、この実施の形態の交換機１０は、端末２０１〜２１５、３０の利用状況にかかわらず、第１端末２０１〜２０４それぞれの通話路（ＤＳＰ１２１〜１２４）が確保されるので、各ＤＳＰ１２１〜１２４が、第１端末の音入出力機能によって取り込まれた音が異常音か否かの判断を各ＤＳＰ１２１〜１２４において確実に実施することが可能になり、そのため、異常発生時のマスター端末３０への通知が確実に行える。
【００６４】
さらに、この実施の形態の端末２０１〜２１５では、マイク（図示せず）から入力された音を交換機１０へ送信する。そして、交換機１０では、そのマイクからの音が異常か否かについて判断する。従って、このシステムでは、異常音か否かの検出を行うための機能（例えば、回路）を端末側に備える必要がないので、端末２０１〜２１５の小型化を実現することができるようになる。
【００６５】
＜実施の形態２＞
次に、システムの一実施形態として、異常音が検出されたときに、その異常音が発生した現場周辺の映像をも表示可能とするようにしたシステムについて説明する。このシステムでは、実施の形態１のものと異なり、監視カメラを用いて、現場周辺の映像が表示される。そのため、この実施の形態のシステムでは、複数の監視カメラ及びモニタ（表示装置）がシステムに備えられる。
【００６６】
[システムの構成]
図７に、本実施の形態のシステム全体の構成を示す。図７に示すように、このシステムでは、実施の形態１のもの（図１で示したもの）と異なり、複数の監視カメラ４０１，４０２，・・・，４１５と、各監視カメラと通信可能に構成されたスイッチャー７１と、スイッチャー７１と接続されたインタフェース６２Ａと、表示装置としてのモニタ７２とを備える。
なお、図７では、図１に示したシステムと同一の構成については同一の符号を付している。
【００６７】
監視カメラ４０１は、端末２０１が設置されているエリア１で撮影を行い、スイッチャー７１に対して、その映像情報を送信する。この送信は、例えば、常時行われるようにしてもよいし、定期的に行われるようにしてもよいし、監視カメラ４０１の映像が変化したときに行われるようにしてもよい。この実施の形態では、１５台の監視カメラ４０１，４０２，・・・，４１５が設置されているために、各監視カメラ４０１，４０２，・・・，４１５が、スイッチャー７１に対して、各エリア１，２，・・・，１５の映像情報を送信する。
【００６８】
スイッチャー７１は、１５台の監視カメラ４０１，４０２，・・・，４１５から送信される映像情報を受信し、モニタ７２に表示する映像情報の切り替えを行う。この映像情報の切り替えは、所定のタイミングで行われる。所定のタイミングは、例えば、定期的であってもよいし、映像が変化した場合であってもよいし、スイッチャー７１が後述する選択信号（特定の監視カメラへの切り替えを要求するための情報）を受信した場合であってもよい。
【００６９】
インタフェース６２Ａは、実施の形態１のインタフェース６２と異なり、交換機１０から、特定の監視カメラへの切り替えを要求するための選択信号を受信した場合に、スイッチャー７１に対して、図示しない出力端子から接点信号を送信する。この接点信号は、例えばメーク接点スイッチのオン信号である。この実施の形態では、１５台の監視カメラが設置されているため、インタフェース６２Ａの出力端子は、監視カメラの選択を行うためのメーク接点スイッチを１５個備えている。選択信号は、交換機１０のＣＰＵ１３による指示の下で交換機１０から送信される。
【００７０】
スイッチャー７１は、インタフェース６２Ａから接点信号を受信した場合には、モニタ７２に対して、該当する監視カメラの映像情報の切り替えを行うとともにその映像情報の画面を強調する処理（例えば、分割画面の枠を赤色で表示、映像の拡大表示）を実施させる。図７の例では、モニタ７２は、９分割の画面表示を行うために、該当する分割画面７２１の枠を赤色で表示している。
【００７１】
[システムの動作]
本実施の形態において、交換機１０から特定の監視カメラへの切り替えが要求される場合の全体動作について、図６を参照して説明する。なお、本実施の形態のシステムにおいても、図６のステップＳ２０１〜Ｓ２１１の処理を行うが、これらの処理は実施の形態１と同じであるので、ここでは説明を省略する。
【００７２】
以下、本実施の形態のシステムの動作について、実施の形態１と相違する点について説明する。
図６において、ステップＳ２０３の処理の後、ステップＳ２０３で異常音の検出通知を受けた交換機１０のＣＰＵ１３（処理部１３１）では、さらに、管理テーブル１４１（本実施の形態では、端末Ｎｏと、選択信号としての外部接点Ｎｏとの関連付けも行われている）を参照して、当該検出通知に含まれる第１端末の端末Ｎｏに関連付けられている外部接点Ｎｏ（例えば、監視カメラ４０１への切り替えを要求するためのもの）を選定する。そして、ＣＰＵ１３（処理部１３１）は、ネットワーク網７０を介して、インタフェース６２Ａに対して、選定した外部接点Ｎｏを送信する（異常音が発生したエリアの映像情報をモニタ７２に表示するための報知処理）。これにより、インタフェース６２Ａは、受信した外部接点Ｎｏに対応するメーク接点スイッチをオンし、そのメーク接点スイッチから、スイッチャー７１にオン信号を送信する。その後、スイッチャー７１は、インタフェース６２Ａからのオン信号を受信し、モニタ７２に対して、オン信号によって特定される監視カメラ（例えば、監視カメラ４０１）の映像情報の切り替えを行うとともにその映像情報の画面を強調する処理（例えば、分割画面７２１の枠を赤色で表示）を実施させる。これにより、モニタ７２（報知先）では、異常音が発生した現場周辺の映像を表示（報知）することもできる。
【００７３】
＜実施の形態３＞
次に、実施の形態３のシステムについて説明する。
この実施の形態のシステムは、実施の形態２（図７で示したもの）と異なり、監視カメラの映像情報の切り替えがスイッチャーではなく、管理端末によって行われる。そのため、この実施の形態のシステムでは、複数の監視カメラがネットワーク網に接続される。
【００７４】
図８は、実施の形態３のシステム全体の構成を示す図である。図８に示すように、監視カメラ４０１，４０２，・・・，４１５は、ネットワーク網７０を介して、表示装置としての管理端末８０Ａに接続される。
なお、図８では、図７に示したシステムと同一の構成については同一の符号を付している。
【００７５】
管理端末８０Ａは、実施の形態２における管理端末８０と異なり、監視カメラ４０１，４０２，・・・，４１５の映像情報を表示するため、各監視カメラを一元的に管理可能な構成を備えている。従って、上述したスイッチャー７１及びモニタ７２（図７）に相当する機能を管理端末８０Ａ側に持たせることで、本実施の形態のシステムが、実施の形態２のシステムと同様の作用を実現することができるようになる。
【００７６】
図８では、管理端末８０Ａは、表示画面８１を９つに分割して表示するために、１台の監視カメラからの映像情報を分割画面８１１内に表示している。
本実施の形態のシステムにおいては、その動作に関し、実施の形態２と比較して、監視カメラから送信される映像情報を管理端末８０Ａに表示する点が異なる。なお、本実施の形態のシステムにおいても、図６のステップＳ２０１〜Ｓ２１１の処理を行うが、これらの処理は実施の形態１と同じであるので、ここでは説明を省略する。
【００７７】
以下、本実施の形態のシステムの動作について、実施の形態２と相違する点について説明する。
図６において、ステップＳ２０３の処理の後、交換機１０のＣＰＵ１３（処理部１３１）は、ステップＳ２０３で受けた異常音の検出通知（異常音を入力した端末の端末Ｎｏを含む）に基づいて、異常音を入力した端末が配置されているエリアで撮影している監視カメラに関する情報（例えば、監視カメラＮｏ）を抽出する。ここで、交換機１０のメモリ１４には、検出通知に含まれる端末Ｎｏと、その端末Ｎｏによって特定される端末が設置されているエリアで撮影している監視カメラに関する情報とが記憶されており、ＣＰＵ１３（処理部１３１）は、その記憶内容を参照して、上記検出通知に含まれる端末Ｎｏに対応する、監視カメラに関する情報を抽出する。そして、ＣＰＵ１３（処理部１３１）は、ネットワーク網７０を介して、管理端末８０Ａに対して、抽出した監視カメラに関する情報を送信する（異常音が発生したエリアの映像情報をモニタ７２に表示するための報知処理）。これにより、管理端末８０Ａは、ＣＰＵ１３（処理部１３１）から、監視カメラに関する情報を受信し、その情報によって特定される監視カメラの切り替えを行うとともにその映像情報の画面を強調する処理（例えば、分割画面８１１の枠を赤色で表示）を行う。これにより、本実施の形態のシステムにおいても、管理端末８０Ａ（報知先）は、異常音が検出された場合に、異常音が発生した現場周辺の映像を表示（報知）することができる。
【００７８】
[変形例]
次に、上述した実施の形態の変形例について説明する。
以上では、第１端末２０１〜２０４のために４個のＤＳＰ１２１〜１２４を固定して割り当てた場合について説明したが、いずれかのＤＳＰを動的に割り当てることでＤＳＰを優先的に割り当てるようにしてもよい。動的に割り当てる方法として、例えば、所定の時間（例えば、５秒）毎にＤＳＰを切り替え方法がある。その場合、処理部１３１は、所定に時間毎に、第１端末の各々に割り当てるＤＳＰを切り替え、接続部１３２は、切り替えられたＤＳＰと第１端末との接続を行うためにデジタルスイッチ回路１１を制御する。このようにしても、第１端末とＤＳＰとの間の通話網を確保することが可能になる。
【００７９】
また、動的に割り当てる方法として、例えば、スケジュール管理に従ってＤＳＰを切り替える方法もある。スケジュール管理には、ＤＳＰを動的に割り当てるパターン（例えば、時間帯に応じて、ＤＳＰを固定あるいは動的に切り替える等）があらかじめ設定されている。
【００８０】
また、上述の実施の形態では、異常発生の報知先として、マスター端末３０、モニタ７２、管理端末８０Ａの場合について説明したが、ネットワーク網７０を介して別の交換機側に管理されている第２端末（親機）を報知先としてもよい。その場合、図３の管理テーブル１４１は、例えば、第１端末と第２端末（あるいは第２端末を管理する別の交換機）との対応付けが示されたレコードを有しており、ＣＰＵ１３（処理部１３１）は、例えばＤＳＰ１２１の通知部１２１１からの通知を受け付けると、管理テーブル１４１の該当するレコードを参照して、第２端末を異常発生の報知先として決定する。そして、ＣＰＵ１３（処理部１３１）は、通知部１２１１からの通知を、ネットワーク網を介して、別の交換機に行う。別の交換機は、交換機１０と同様に構成されており、通知部１２１１からの通知を受けた別の交換機では、ＣＰＵが第２端末に通話路（ＤＳＰ）を割り当てて、そのＤＳＰに通話処理の開始コマンドを出力する（図６のステップＳ２０４〜Ｓ２０６、Ｓ２０８と同様の処理）。一方、別の交換機（ＣＰＵ）からの開始コマンドの出力の通知を受けた交換機１０も、第１端末に割り当てているＤＳＰへ通話開始の開始コマンドを出力する（図６のステップＳ２０７と同様の処理）。これにより、第１端末と第２端末との間での通話が２台の交換機を介して可能になる（図６のステップＳ２０９〜Ｓ２１１と同様の処理）。
【００８１】
また、上述の実施の形態では、異常発生の報知先は、マスター端末３０の１箇所の場合で説明したが、複数の箇所であってもよい。例えば、マスター端末３０とパトライト５０の２箇所を報知先としてもよい。その場合、ＣＰＵ１３（処理部１３１）は、ＤＳＰの通知部１２１１からの通知を受けると、管理テーブル１４１の該当するレコード（「親機Ｎｏ」及び「外部接点Ｎｏ」の項目）を参照して、マスター端末３０及びパトライト５０を報知先として決定する。そして、ＤＳＰの通知部１２１１からの通知を受けたＣＰＵ１３（処理部１３１）は、図６のステップＳ２０４〜Ｓ２１１の処理を行ってマスター端末３０と第１端末との通話を可能にするとともに、インタフェース６１にコマンドを送出することでインタフェース６１の接点出力によりパトライト５０を点灯させるようにしてもよい。あるいは、ＣＰＵ１３（処理部１３１）は、インタフェース６２にコマンドを送出することでインタフェース６２の接点出力によりパトライト９０を点灯させるようにしてもよい。このようにしても、外部への通知が確実に行わる。あるいは、マスター端末３０とモニタ７２と管理端末８０Ａの３箇所（実施の形態１〜３を組み合わせた場合のもの）を報知先としてもよい。
【００８２】
なお、実施上のハードウエア構成および処理順序は、本発明の趣旨を逸脱しない限り、変更してもよい。例えば、交換機１０は、複数台で分散処理するようにしてもよい。
【符号の説明】
【００８３】
１０  交換機
１１  デジタルスイッチ回路
１３  ＣＰＵ
１４  メモリ
３０  マスター端末
４０、５０、９０  パトライト
１２１〜１２８  ＤＳＰ
１３１  処理部
１３２  接続部
【手続補正２】
【補正対象書類名】特許請求の範囲
【補正対象項目名】全文
【補正方法】変更
【補正の内容】
【特許請求の範囲】
【請求項１】
外部の音を自動的に入出力する第１端末を含む複数の端末と接続された交換機において、
それぞれＤＳＰ（Digital Signal Processor）を備えた複数の通話路と、
前記各端末と前記各通話路との接続を切り換えるためのスイッチ回路と、
前記各ＤＳＰ及びスイッチ回路を制御する通話路制御部とを備え、
前記通話路制御部は、前記第１端末に前記複数の通話路のうちのいずれかを優先的に割り当てる制御を行い、
割り当てられた通話路のＤＳＰは、前記スイッチ回路を介して入力される前記第１端末からの音が異常音か否かを判断し、異常音と判断したときに前記通話路制御部へ通知し、
通知を受けた前記通話路制御部は、当該通知に基づいて報知先を決定して当該報知先への報知処理を行うことを特徴とする交換機。
【請求項２】
前記複数の通話路の割り当て状況を管理する割当テーブルを格納するメモリをさらに含み、
前記通話路制御部は、前記メモリに格納された割当テーブルを参照して、前記第１端末に優先的に割り当てる通話路を動的に切り替える、
請求項１に記載の交換機。
【請求項３】
前記通話路制御部は、複数の異なる報知方法の中から選択された方法で前記報知先への報知処理を行う、
請求項１または２に記載の交換機。
【請求項４】
前記通話路制御部は、前記報知処理として、前記異常音が入力された第１端末が設置されているエリアを撮影している監視カメラからの映像情報を表示装置に表示するための処理を行う、
請求項１ないし３のいずれか１項に記載の交換機。
【国際調査報告】
2010090249.tif 000011
2010090249.tif 000012
2010090249.tif 000013
2010090249.tif 000014